(57)【要約】  ハウジング（５）内におけるインペラ（１３）の出口側に環状のディフューザ（２７）が形成される。ハウジング（５）内におけるディフューザ（２７）の出口側に渦巻き状のスクロール（３１）が形成される。ディフューザ（２７）のシュラウド側壁面（２７ｓ）とスクロール（３１）の壁面（３１ｗ）との境界（３５）に環状の凹部（３７）が径方向内側へ窪んで形成されている。
2015019909.tif 000002
【特許請求の範囲】
【請求項１】
遠心力を利用して流体を圧縮する遠心圧縮機であって、
内側にシュラウドを有したハウジングと、
前記ハウジング内に回転可能に設けられたインペラと、
前記ハウジング内における前記インペラの出口側の径方向外側に形成されたディフューザと、
前記ハウジング内における前記ディフューザの出口側に形成され、前記ディフューザに連通したスクロールと、
を具備し、
前記ディフューザのシュラウド側壁面と前記スクロールの壁面との境界に、凹部が径方向内側へ窪んで形成されていることを特徴とする遠心圧縮機。
【請求項２】
前記凹部の開口幅が前記ディフューザの出口の流路幅の２０％以上に設定されていることを特徴とする請求項１に記載の遠心圧縮機。
【請求項３】
前記凹部の窪み量が前記凹部の開口幅の０．５倍以上に設定されていることを特徴とする請求項１に記載の遠心圧縮機。
【請求項４】
前記凹部の窪み量が前記凹部の開口幅の０．５倍以上に設定されていることを特徴とする請求項２に記載の遠心圧縮機。
【請求項５】
前記凹部は環状に形成されていることを特徴とする請求項１から請求項４のうちのいずれか１項に記載の遠心圧縮機。
【請求項６】
請求項１から請求項５のうちのいずれか１項に記載の遠心圧縮機を具備したことを特徴とする過給機。
【発明の詳細な説明】
【技術分野】
【０００１】
本発明は、遠心力を利用して流体（空気等のガスを含む）を圧縮する遠心圧縮機、特に、遠心圧縮機におけるディフューザの周辺に関するものである。
【背景技術】
【０００２】
近年、過給機、ガスタービン、産業用空気設備等に用いられる遠心圧縮機について種々の研究開発がなされている（特許文献１〜特許文献３参照）。【０００３】
一般的な遠心圧縮機は、ハウジングを具備している。このハウジングは、内側にシュラウドを有している。ハウジング内には、インペラがその軸心周りに回転可能に設けられている。インペラはディスクを備えている。このディスクのハブ面は、タービンインペラの軸方向一方側から径方向外側に向かって延びている。ディスクのハブ面には、複数のブレードが周方向に間隔を置いて一体的に設けられている。各ブレードの先端縁は、ハウジングのシュラウドに沿うように延びている。【０００４】
ハウジング内におけるインペラの出口側には、圧縮した流体（圧縮流体）を減速させて昇圧する環状のディフューザ（ディフューザ流路）が形成されている。また、ハウジング内におけるディフューザの出口側には、ディフューザに連通したスクロール（スクロール流路）が形成されている。
【先行技術文献】
【特許文献】
【０００５】
【特許文献１】特開２００９−２３０５号公報
【特許文献２】特開２００６−２２００５３号公報
【特許文献３】特開２０１０−１９６５４２号公報
【発明の概要】
【発明が解決しようとする課題】
【０００６】
ところで、遠心圧縮機の運転中に、ディフューザのシュラウド側壁面の出口側において、流路形状の急激な変化に伴う流れの剥離（剥離渦）が発生する。一方、流れの剥離が発達すると、ディフューザの出口側における有効流路面積が減少する。その結果、ディフューザによって主流の流れを十分に減速させることができず、ディフューザの静圧回復性能が低下する。また、ディフューザのシュラウド側壁面の出口側における流れの剥離による低圧部（ブロッケージ、低圧領域、閉塞領域）とスクロール内の主流の流れとの衝突（干渉）によって、スクロールの下流側に位置する吐出口（吐出流路）内の流れに乱れが生じて、遠心圧縮機の圧縮機効率が低下する。【０００７】
そこで、本発明は、前述の問題を解決することができる遠心圧縮機及び過給機を提供することを目的とする。
【課題を解決するための手段】
【０００８】
本発明の第１の態様は、遠心力を利用して流体（空気等のガスを含む）を圧縮する遠心圧縮機であって、内側にシュラウドを有したハウジングと、前記ハウジング内に回転可能に設けられたインペラと、前記ハウジング内における前記インペラの出口側の径方向外側に形成されたディフューザ（ディフューザ流路）と、前記ハウジング内における前記ディフューザの出口側に形成され、前記ディフューザに連通したスクロール（スクロール流路）とを具備し、前記ディフューザのシュラウド側壁面と前記スクロールの壁面との境界（境界部）に、凹部が径方向内側へ窪んで形成されていることを要旨とする。【０００９】
なお、本願の明細書及び特許請求の範囲において、「設けられ」とは、直接的に設けられたことの他に、別部材を介して間接的に設けられたことを含む意であって、「一体的に設けられ」とは、一体形成されたことを含む意である。また、「軸方向」とは、インペラの軸方向のことをいい、「径方向」とは、インペラの径方向のことをいう。更に、「シュラウド側壁面」とは、ハウジングのシュラウドを径方向外側へ延長した面側に位置する壁面のことをいう。【００１０】
本発明の第２の態様は、過給機において、第１の態様に係る遠心圧縮機を具備したことを要旨とする。
【発明の効果】
【００１１】
本発明によれば、前記遠心圧縮機の運転中に、前記ディフューザのシュラウド側壁面の出口側の剥離による低圧部、換言すれば、その剥離自体を前記ディフューザ内の主流の流れから遠ざけることができる。そのため、前記ディフューザの出口側の有効流路面積の減少を抑えて、前記ディフューザによって主流の流れを十分に減速させることができる。また、前記ディフューザのシュラウド側壁面の出口側において流れの剥離による低圧部の剥離を前記スクロール内の主流の流れから遠ざけることができる。そのため、その低圧部と前記スクロール内の主流の流れとの衝突（干渉）を緩和して、前記スクロールの下流側における主流の流れの乱れを抑えることができる。よって、本発明によれば、前記ディフューザの静圧回復性能を高めつつ、前記遠心圧縮機の圧縮機効率の向上を図ることができる。
【図面の簡単な説明】
【００１２】
【図１】図１は、図３における矢視部Iの拡大図である。
【図２】図２（ａ）は、図１における矢視部IIの拡大図、図２（ｂ）及び図２（ｃ）は、凹部の異なる態様を示す図である。
【図３】図３は、本発明の実施形態に係る遠心圧縮機等を示す正断面図である。
【図４】図４（ａ）は、発明例に係るディフューザの周辺の構成を示す模式図、図４（ｂ）は、比較例に係るディフューザの周辺の構成を示す模式図である。
【図５】図５（ａ）及び図５（ｂ）は、大流量側（チョーク側）の作動域において低圧部が生成される領域を示す図、図５（ａ）が発明例の場合、図５（ｂ）が比較例の場合である。
【図６】図６（ａ）及び図６（ｂ）は、小流量側（サージ側）の作動域におけるスクロール内及びディフューザ内の静圧分布を示す図、図６（ａ）が発明例の場合、図６（ｂ）が比較例の場合である。
【図７】図７は、発明例及び比較例の場合における流量と圧縮機効率との関係を示す図である。
【発明を実施するための形態】
【００１３】
本発明は、次に述べる新規な知見に基づいている。
【００１４】
即ち、その新規な知見とは、ディフューザ２７のシュラウド側壁面２７ｓとスクロール３１の壁面３１ｗとの境界（境界部）３５に環状の凹部３７が径方向内側へ窪んで形成された場合（図４（ａ）参照）には、環状の凹部３７が形成されていない場合（図４（ｂ）参照）に比べて、図５（ａ）（ｂ）に示すように、遠心圧縮機の運転中に、シュラウド側壁面２７ｓにおけるディフューザ２７の出口２７ｏ側において、流れの剥離（剥離渦）による低圧部ＬＰの一部が環状の凹部３７内に入り込むことにより、その低圧部ＬＰをディフューザ２７内及びスクロール３１内の主流の流れ（主流の流れ中心線）から遠ざけることができるというものである。その低圧部ＬＰの一部が環状の凹部３５内に入り込むのは、スクロール３１内の主流の流れ自体の他に、スクロール３１内（スクロール３１内の径方向外側部）と凹部３５内との圧力差によるものと考えられる。なお、図４（ａ）及び図４（ｂ）における符号２７ｉは、インペラ１３の収容室（図１参照）に連通するディフューザ２７の入口を示している。また、凹部３７は連続した環状である必要はなく、例えば、低圧部ＬＰが顕著に現れる、特定の周方向の領域にのみ凹部を設けてもよい。ただし、凹部３７を環状に形成した場合、機械加工が容易となる。
【００１５】
ここで、図４（ａ）は、発明例に係るディフューザ２７の周辺の構成を示す模式図である。図４（ｂ）は、比較例に係るディフューザ２７の周辺の構成を示す模式図である。図５（ａ）及び図５（ｂ）は、大流量側（チョーク側）の作動域において低圧部が生成される領域を示す図、図５（ａ）が発明例の場合、図５（ｂ）が比較例の場合である。また、低圧部ＬＰが生成される領域は、数値流体解析（ＣＦＤ：Ｃｏｍｐｕｔａｔｉｏｎａｌ  Ｆｌｕｉｄ  Ｄｙｎａｍｉｃｓ解析）により求めたものである。更に、図示は省略するが、大流量側の作動域だけでなく、小流量側（サージ側）及び圧縮機効率のピーク付近の作動域においても、同様の解析結果を得ることができた。
【００１６】
本発明の実施形態について図１から図３を参照して説明する。なお、図面に示すとおり、「Ｌ」は、左方向、「Ｒ」は、右方向である。
【００１７】
図１及び図３に示すように、本発明の実施形態に係る遠心圧縮機１は、過給機３に用いられ、遠心力を利用して空気を圧縮するものである。
【００１８】
遠心圧縮機１は、ハウジング（コンプレッサハウジング）５を具備している。ハウジング５は、内側にシュラウド７ｓを有したハウジング本体７と、このハウジング本体７の右側に設けられたシールプレート９とを備えている。なお、シールプレート９は、過給機３における別のハウジング（軸受ハウジング）１１に一体的に連結されている。
【００１９】
ハウジング５内には、インペラ（コンプレッサインペラ）１３がその軸心Ｃ周りに回転可能に設けられている。インペラ１３は、回転軸１９の左端部に一体的に連結されている。回転軸１９は、別のハウジング１１に複数のスラスト軸受１５及び複数（１つのみ図示）のラジアル軸受１７を介して回転可能に設けられている。また、インペラ１３は、ディスク２１を備えている。ディスク２１はハブ面２１ｈを有する。ハブ面２１ｈは、左方向（インペラ１３の軸方向一方側）からの径方向（インペラ１３の径方向）外側へ延びている。更に、ディスク２１のハブ面２１ｈには、同じ軸長の複数のブレード２３が周方向に間隔を置いて一体形成されている。各ブレード２３の先端縁２３ｔは、ハウジング本体７のシュラウド７ｓに沿うように延びている。なお、軸長の同じ複数のブレード２３を用いる代わりに、異なる軸長の複数種のブレード（図示省略）を用いてもよい。
【００２０】
ハウジング本体７におけるインペラ１３の入口側には、導入口（導入流路）２５が形成されている。導入口２５は、空気をハウジング５内に導入する。また、導入口２５は、空気を浄化するエアクリーナ（図示省略）に接続する。ハウジング５内におけるインペラ１３の出口側には、ディフューザ（ディフューザ流路）２７が形成されている。ディフューザ２７は、圧縮した空気（圧縮空気）を減速させて昇圧する。ディフューザ２７は例えば環状に形成されている。ハウジング５内におけるインペラ１３とディフューザ２７との間には、絞り部（絞り流路）２９が形成されている。絞り部２９の流路幅は、主流の流れ方向に沿って漸次小さくなっている。絞り部２９は、例えば環状に形成されている。絞り部２９は、ディフューザ２７に連通している。
【００２１】
ハウジング５内におけるディフューザ２７の出口側には、スクロール（スクロール流路）３１が形成されている。スクロール３１は渦巻き状に形成されている。スクロール３１は、ディフューザ２７に連通している。スクロール３１の断面積は、巻き終わり側（下流側）が巻き始め側（上流側）よりも大きくなっている。ハウジング本体７の適宜位置には、吐出口（吐出流路）３３が形成されている。吐出口３３は、圧縮された空気をハウジング５の外側へ吐出する。吐出口３３は、スクロール３１に連通し、かつエンジンの吸気マニホールドあるいはインタークーラーなどエンジン側吸気配管（図示省略）に接続する。
【００２２】
図１及び図２（ａ）に示すように、ディフューザ２７のシュラウド側壁面２７ｓ及びハブ側壁面２７ｈは、径方向（インペラ１３の径方向）に対してそれぞれ平行である。なお、シュラウド側壁面２７ｓとは、ハウジング本体７のシュラウド７ｓを径方向外側へ延長した面側に位置する壁面のことをいう。ハブ側壁面２７ｈとは、ディスク２１のハブ面２１ｈを径方向外側へ延長した面側に位置する壁面のことをいう。
【００２３】
ディフューザ２７のシュラウド側壁面２７ｓとスクロール３１の壁面３１ｗとの境界（境界部）３５には、環状の凹部３７が形成されている。凹部３７は、径方向内側へ窪んでいる。シュラウド側壁面２７ｓにおけるディフューザ２７の出口２７ｏ側では、流れの剥離（剥離渦）による低圧部ＬＰが発生する。凹部３７は、この低圧部ＬＰの一部をその中に入り込ませる。また、図２（ａ）に示す凹部３７の断面形状は、Ｖ字形状を呈しているが、凹部３７の断面形状はこれに限定されない。即ち、凹部３７の断面形状は、図２（ｂ）に示すようにＵ字形状を呈したり、図２（ｃ）に示すように矩形形状を呈したりする等、適宜変更される。更に、環状の凹部３７が径方向内側へ窪んで形成されていれば、凹部３７の断面中心線が径方向に対して傾斜していてもよい。
【００２４】
凹部３７の開口幅（入口幅）αは、ディフューザ２７の出口の流路幅βの２０〜８０％、好ましくは、４０〜７０％（０．２０〜０．８０倍、好ましくは、０．４０〜０．７０倍）に設定されている。開口幅αを流路幅βの２０％以上に設定したのは、２０％未満であると、凹部３７の開口幅αが小さくなって、低圧部ＬＰの一部が凹部３７内に入り込み難くなるおそれがあるからである。また、開口幅αをディフューザ２７の出口の流路幅βの８０％以下に設定したのは、８０％を超えると、スクロール３１内の主流の流れの一部が凹部３７内に流れ込んで、スクロール３１内と凹部３７との圧力差が小さくなり、その結果、低圧部ＬＰの一部が凹部３７内に入り込み難くなるおそれがあるからである。
【００２５】
凹部３７の窪み量δは、凹部３７の開口幅αの０．５〜５．０倍、好ましくは、２．０〜３．０倍に設定されている。窪み量δを開口幅αの０．５倍以上に設定したのは、０．５倍未満であると、低圧部ＬＰの一部が凹部３７内に入り込んでも、その低圧部ＬＰをディフューザ２７内及びスクロール３１内の主流の流れ（主流の流れ中心線）から遠ざけることが困難になるおそれがあるからである。また、窪み量δを開口幅αの５．０倍以下に設定したのは、５．０倍を超えると、スクロール３１内の主流の流れの一部が凹部３７内に流れ込み、凹部３７の底側の淀み圧力が高まることによって、低圧部ＬＰの一部が凹部３７内に入り込み難くなるおそれがあるからである。
【００２６】
続いて、本発明の実施形態の作用及び効果について説明する。
【００２７】
過給機３におけるラジアルタービン（図示省略）の駆動によりインペラ１３をその軸心周りに回転軸１９と一体的に回転させることにより、導入口２５からハウジング５内に導入した空気を圧縮することができる。そして、圧縮した空気（圧縮空気）は、ディフューザ２７によって減速させながら昇圧され、スクロール３１を経由して吐出口３３からハウジング５の外側へ吐出される。
【００２８】
ディフューザ２７のシュラウド側壁面２７ｓとスクロール３１の壁面３１ｗとの境界３５に環状の凹部３７が径方向内側へ窪んで形成されている。そのため、前述の新規な知見を適用すると、遠心圧縮機１の運転中（過給機３の運転中）に、シュラウド側壁面２７ｓにおけるディフューザ２７の出口２７ｏ側での流れの剥離（剥離渦）による低圧部ＬＰの一部が環状の凹部３７内に入り込む。その結果、その低圧部ＬＰをディフューザ２７内及びスクロール３１内の主流の流れ（主流の流れ中心線）から遠ざけることができる。換言すれば、その低圧部ＬＰをディフューザ２７内及びスクロール３１内の主流の流れを妨げない箇所に変位させることができる。
【００２９】
従って、本発明の実施形態によれば、遠心圧縮機１の運転中に、シュラウド側壁面２７ｓにおけるディフューザ２７の出口２７ｏ側の流れの剥離による低圧部ＬＰ、換言すれば、その剥離自体をディフューザ２７内の主流の流れから遠ざけることができる。そのため、ディフューザ２７の出口２７ｏ側の有効流路面積の減少を抑えて、が抑えられる。従ってディフューザ２７によって主流の流れを十分に減速させることができる。また、シュラウド側壁面２７ｓにおけるディフューザ２７の出口２７ｏ側の流れの剥離による低圧部ＬＰの剥離をスクロール３１内の主流の流れから遠ざけることができる。したがってそのため、その低圧部ＬＰとスクロール３１内の主流の流れとの衝突（干渉）を緩和して、スクロール３１の下流側に位置する吐出口３３内の主流の流れの乱れを抑えることができる。よって、本発明によれば、ディフューザ２７の静圧回復性能を高めつつ、遠心圧縮機１の圧縮機効率の向上を図ることができる。
【００３０】
なお、本発明は、前述の実施形態の説明に限るものでなく、例えば遠心圧縮機１に適用した技術的思想をガスタービン、産業用空気設備等に適用したり、ディフューザ２７に複数のディフューザベーン（図示省略）を周方向に間隔を置いて配設したりする等、その他、種々の態様で実施可能である。また、本発明に包含される権利範囲は、これらの実施形態に限定されないものである。
【実施例】
【００３１】
本発明の実施例について図６（ａ）、図６（ｂ）及び図７を参照して説明する。【００３２】
発明例（図４（ａ）参照）及び比較例（図４（ｂ）参照）に対し、小流量側（サージ側）の作動域におけるスクロール内及びディフューザ内の静圧分布について数値流体解析を行った。その結果、図６（ａ）に示す発明例の方が、図６（ｂ）に示す比較例に比べてスクロール内の静圧を全体的に高くできることが確認できた。換言すれば、ディフューザの静圧回復性能を高くできることが確認できた。また、図示は省略するが、小流量側の作動域だけでなく、大流量側及び圧縮機効率のピーク付近の作動域においても、同様の解析結果を得ることができた。なお、図６（ａ）及び図６（ｂ）中の数値は、スクロール内の静圧を無次元化したものである。【００３３】
発明例（図４（ａ）参照）及び比較例（図４（ｂ）参照）における、流量と圧縮機効率との関係について数値流体解析を行った。その結果、図７に示すように、発明例の方が比較例に比べて小流量側から大流量側の広い作動域において圧縮機効率を向上させることが確認された。
【図１】
2015019909.tif 000003
【図２】
2015019909.tif 000004
【図３】
2015019909.tif 000005
【図４】
2015019909.tif 000006
【図５】
2015019909.tif 000007
【図６】
2015019909.tif 000008
【図７】
2015019909.tif 000009
【手続補正書】
【提出日】平成28年11月18日(2016.11.18)
【手続補正１】
【補正対象書類名】特許請求の範囲
【補正対象項目名】全文
【補正方法】変更
【補正の内容】
【特許請求の範囲】
【請求項１】
遠心力を利用して流体を圧縮する遠心圧縮機であって、
内側にシュラウドを有したハウジングと、
前記ハウジング内に回転可能に設けられたインペラと、
前記ハウジング内における前記インペラの出口側の径方向外側に形成されたディフューザと、
前記ハウジング内における前記ディフューザの出口側に形成され、前記ディフューザに連通したスクロールと、
を具備し、
前記ディフューザのシュラウド側壁面と前記スクロールの壁面との境界に、凹部が径方向内側へ窪んで形成されており、
前記凹部の窪み量は、前記凹部の開口幅の０．５〜５．０倍である、遠心圧縮機。
【請求項２】
前記凹部の開口幅が前記ディフューザの出口の流路幅の２０％以上に設定されている請求項１に記載の遠心圧縮機。
【請求項３】
前記凹部は環状に形成されている請求項１または２に記載の遠心圧縮機。
【請求項４】
前記凹部の開口幅は、前記ディフューザの出口の流路幅の８０％以下である、請求項１に記載の遠心圧縮機。
【請求項５】
前記凹部は、特定の周方向の領域にのみ設けられている、請求項１に記載の遠心圧縮機。
【請求項６】
前記特定の周方向の前記領域は、流れの剥離による低圧部が顕著に現れる領域である、請求項５に記載の遠心圧縮機。
【請求項７】
請求項１から請求項６のうちのいずれか１項に記載の遠心圧縮機を具備する過給機。
【手続補正２】
【補正対象書類名】明細書
【補正対象項目名】０００８
【補正方法】変更
【補正の内容】
【０００８】
本発明の第１の態様は、遠心力を利用して流体（空気等のガスを含む）を圧縮する遠心圧縮機であって、内側にシュラウドを有したハウジングと、前記ハウジング内に回転可能に設けられたインペラと、前記ハウジング内における前記インペラの出口側の径方向外側に形成されたディフューザ（ディフューザ流路）と、前記ハウジング内における前記ディフューザの出口側に形成され、前記ディフューザに連通したスクロール（スクロール流路）とを具備し、前記ディフューザのシュラウド側壁面と前記スクロールの壁面との境界（境界部）に、凹部が径方向内側へ窪んで形成されており、前記凹部の窪み量は、前記凹部の開口幅の０．５〜５．０倍であることを要旨とする。
【国際調査報告】
2015019909.tif 000010
2015019909.tif 000011
2015019909.tif 000012
2015019909.tif 000013